(57)【特許請求の範囲】
【請求項１】
ランプハウジング及びレンズにより画成された灯室と、
前記灯室内に配置された光源バルブと、
前記レンズと対向する前部が開口され、内面には前記光源バルブからの光を前記レンズ側に反射させる反射面が設けられており、前記灯室内に光軸調整のために傾動可能に配置されたリフレクタと、
前記灯室内の前記ランプハウジング及び前記レンズ側と前記リフレクタ側との間に配置され、前記間を目隠しするインナーパネルと、
を備え、
前記インナーパネルは、前記ランプハウジング及び前記レンズ側と対向する外側部分と、前記リフレクタの開口端と対向する内側部分と、前記外側部分から前記リフレクタの開口端の外側に対向して延設され、前記内側部分と前記リフレクタの開口端との間を目隠しする延長部と、を有し、
前記インナーパネルの外側部分及び内側部分及び延長部のうち、少なくとも、前記レンズを介して見える範囲には、前記リフレクタの反射面とほぼ同様の表面処理が施されているヘッドランプにおいて、
前記リフレクタの開口端の外側のうち、前記インナーパネルの延長部の表面処理範囲で映し出される部分には、前記リフレクタの反射面や前記インナーパネルの表面処理とほぼ同様の表面処理が施されている、ことを特徴とするヘッドランプ。
【請求項２】
前記リフレクタの開口端の外側は、前記反射面の内面の傾斜方向に対して逆方向に傾斜している、ことを特徴とする請求項１に記載のヘッドランプ。
【請求項３】
前記リフレクタの開口端の外側は、前方から後方にかけて前記延長部に近づく方向に傾斜している、ことを特徴とする請求項１又は２に記載のヘッドランプ。
【請求項４】
前記リフレクタの開口端の外側には、光拡散素子群が設けられている、ことを特徴とする請求項１又は２又は３に記載のヘッドランプ。
【発明の詳細な説明】
【０００１】
【発明の属する技術分野】
本発明は、比較的に有効反射面が小さいヘッドランプであって、灯室内にリフレクタとインナーパネルとがそれぞれ配置されているヘッドランプに係り、特に、比較的小さい有効反射面のランプ性能（すなわち、比較的小さい有効反射面からの有効反射光の光量）をそのまま維持しながら、見栄えが損なわれることがないヘッドランプに関するものである。
【０００２】
【従来の技術】
以下、この種のヘッドランプを図３乃至図５を参照して説明する。
このヘッドランプは、ランプハウジング１及びレンズ（アウターレンズ）２により、灯室３が画成形成されている。この灯室３内には、光源バルブ４が配置されている。
【０００３】
また、この灯室３内には、ランプハウジング１と別体のリフレクタ５が、ピボット機構（図示せず）及び光軸調整装置（図示せず）等により上下方向及び左右方向に、又は、上下方向のみに、光軸調整のために傾動可能に配置されている。このリフレクタ５の前記レンズ２と対向する前部５０は、開口されている。この開口端５０は、上部から下部にかけて後方から前方に傾斜している。
【０００４】
上述のリフレクタ５の後部内面には、前記光源バルブ４からの光を前記レンズ２側に反射させる反射面５１が設けられている。この反射面５１は、図３及び図４に示すように、正面から見て、上部及び左右両側部が円弧をなし、かつ、下部が水平をなし、比較的に小さい有効反射面を形成する。また、この反射面５１は、例えば、ロービーム用又は及びハイビーム用の配光パターン（図示せず）を制御する複合反射面から構成されている。この複合反射面（反射面５０）は、上下左右に複数個に区画された反射面セグメント（図示せず）からなるもので、所謂自由曲面と称されている。この自由曲面は、例えば、特開平９−３０６２２０号公報に記載されている。
【０００５】
上述のリフレクタ５の前部側の開口端５０と後部側の反射面５１との間には、立壁５２が形成されている。このリフレクタ５の立壁５２の内面は、開口端５０から後方にかけて内側に若干傾斜している。このリフレクタ５の開口端５０の端面及び前記立壁５２の内面には、前記反射面５１と同様の反射面処理（アルミ蒸着、銀塗装等の反射面処理）が、図４及び図５中の太線に示すように、施されている。また、このリフレクタ５の後部中央部には、上述の光源バルブ４が着脱可能に取り付けられている。
【０００６】
さらに、上述の灯室３内の前記ランプハウジング１及び前記レンズ２側と前記リフレクタ５側との間Ａには、インナーパネル６が配置されている。このインナーパネル６は、図４及び図５に示すように、前記ランプハウジング１及び前記レンズ２側に対向する外側部分６０と、前記リフレクタ５側に対向する内側部分６１と、前記外側部分６０から前記リフレクタ５の開口端５０の外側（立壁５２の外側）５３に対向して一体に延設された延長部６２とからなる。この延長部６２は、インナーパネル６のうち、少なくとも下部側に設けられている。
【０００７】
このインナーパネル６は、上述の灯室３内の前記ランプハウジング１及び前記レンズ２側と前記リフレクタ５側との間Ａを目隠しするものであって、また、延長部６２は、前記内側部分６１と前記リフレクタ５の開口端５０との間Ｂを目隠しするものである。
【０００８】
上述のインナーパネル６の外側部分６０及び内側部分６１及び延長部６２のうち、少なくとも、外側のアイポイントＥ．Ｐから前記レンズ２を介して見える範囲には、図４及び図５中の太線に示すように、前記リフレクタ５の反射面５１とほぼ同様の表面処理（アルミ蒸着、銀塗装等の表面勝利）が施されている。このインナーパネル６の表面処理により、リフレクタ５とインナーパネル６とが区別できずに一体に見え、インナーパネル６の存在をカムフラージュでき、見栄えが向上される。
【０００９】
なお、図において、７はゴムキャップである。このゴムキャップ７は、光源バルブ４の口金とランプハウジング１の後部開口部との間に水密に着脱可能に取り付けられており、灯室３内を水密に保つものである。
そして、上述の光源バルブ４を点灯すると、この光源バルブ４からの光がリフレクタ５の反射面５１で反射され、その反射光がレンズ２を経て外部に所定のロービーム用又は及びハイビーム用の配光パターンで照射される。
【００１０】
かかるヘッドランプ、すなわち、灯室３内にランプハウジング１と別体のリフレクタ５が光軸調整のために傾動可能に配置されているヘッドランプにおいては、リフレクタ５の傾動を確保するために、ランプハウジング１及びレンズ２側とリフレクタ５側との間Ａを確保する必要がある。この結果、上述のヘッドランプは、上述の間Ａがレンズ２を経て外部から見えて見栄えが低下するのを防止するために、灯室３内において、ランプハウジング１及びレンズ２側とリフレクタ５側との間Ａにインナーパネル６が配置されており、上述の間Ａを目隠しして見栄えの低下を防止するものである。
【００１１】
そして、上述のヘッドランプにおいては、リフレクタ５の有効反射面５１が比較的小さいので、下記の不具合が生じる。
すなわち、リフレクタ５が光軸調整傾動しても、上述の間Ａを十分に目隠しできるように、インナーパネル６を大きくすることが考えられる。この場合、インナーパネル６を大きくすると、図５中の二点鎖線にて示すように、インナーパネル６の内側部分６１がリフレクタ５の開口端５０よりも内側に位置するので、上述の有効反射面５１からの有効反射光が遮られる。すると、元々、比較的小さい有効反射面５１からの有効反射光の光量が少ないにもかかわらずさらに減少し、ランプ性能が低下することとなる。
【００１２】
このために、インナーパネル６を小さくして、インナーパネル６の内側部分６１をリフレクタ５の開口端５０に対向させる。ただし、このインナーパネル６を単に小さくしただけでは、図５中の一点鎖線にて示すように、インナーパネル６の内側部分６１がリフレクタ５の開口端５０に近接してリフレクタ５の光軸調整傾動に支障を来す。
【００１３】
従って、図５中の実線にて示すように、インナーパネル６の内側部分６１をリフレクタ５の開口端５０に対向させ、かつ、インナーパネル６の内側部分６１とリフレクタ５の開口端５０との間Ｂを開ける必要がある。しかしながら、上述の間Ｂを開けると、その間Ｂを経て外側のアイポイントＥ．Ｐから灯室３内のランプハウジング１（レンズ２の脚部が短くランプハウジング１の開口端が上述の間Ｂまで延設されている場合）やバンパー（図４及び図５に示すように、レンズ２の脚部が長くて上述の間Ｂまで延設されている場合）等が見える不具合が生じることとなる。
【００１４】
そこで、図４及び図５に示すように、インナーパネル６の外側部分６０から延長部６２が前記リフレクタ５の開口端５０の外側５３に対向して一体に延設されることにより、上述の間Ｂが目隠しされ、有効反射面が比較的小さいことによる不具合が解消されることとなる。
【００１５】
【発明が解決しようとする課題】
ところが、上述の従来のヘッドランプは、見栄え向上のために、インナーパネル６の延長部６２にも反射面処理とほぼ同様の表面処理が施されている。このために、その延長部６２と対向するリフレクタ５の開口端５０の外側５３が、図４中の矢印に示すように、表面処理された延長部６２に反射して写し出され、上述の間Ｂを経て外側のアイポイントＥ．Ｐから見えることとなる。このように、比較的小さい有効反射面のランプ性能をそのまま維持すると、見栄えが損なわれる虞がある。
特に、リフレクタ５の反射面５１により配光パターンの制御を行う上述のヘッドランプの場合、レンズ２が素通し乃至ほぼ素通しのものであるから、上述の間Ｂがよく見え、上述の見栄え上の課題が顕著に現れる。また、リフレクタ５の開口端５０が上部から下部にかけて後方から前方に傾斜している場合、上述の間Ｂが斜め上方の外側のアイポイントＥ．Ｐからよく見え、上述の見栄え上の課題が顕著に現れる。さらに、リフレクタ５の開口端５０がレンズ２に近接している場合においても、上述の間Ｂが目立つ位置に位置することとなり、上述の見栄え上の課題が顕著に現れる。
【００１６】
本発明の目的は、比較的小さい有効反射面のランプ性能をそのまま維持しながら、見栄えが損なわれることがないヘッドランプを提供することにある。
【００１７】
【課題を解決するための手段】
本発明（請求項１に係る発明）は、上記の課題を解決するために、リフレクタの開口端の外側のうち、インナーパネルの延長部の表面処理範囲で映し出される部分に、リフレクタの反射面やインナーパネルの表面処理とほぼ同様の表面処理が施されている、ことを特徴とする。
この結果、本発明のヘッドランプは、上記の構成により、インナーパネルを小さくして、インナーパネルの内側部分をリフレクタの開口端に対向させ、かつ、インナーパネルの内側部分とリフレクタの開口端との間を開け、そのために、その間を経てリフレクタの開口端の外側が、表面処理されたインナーパネルの延長部に写し出されて見えたとしても、リフレクタの開口端の外側は、リフレクタの反射面やインナーパネルの表面処理とほぼ同様の表面処理が施されているので、見栄えが損なわれる虞がない。このように、比較的小さい有効反射面のランプ性能をそのまま維持しながら、見栄えが損なわれることがない。
【００１８】
また、本発明（請求項２に係る発明）は、リフレクタの開口端の外側がリフレクタの内面の傾斜方向と逆方向に傾斜している、ことを特徴とする。
この結果、本発明のヘッドランプは、リフレクタの内面と開口端の外側とが反射面の反射面処理方向に対してそれぞれ勾配していることとなるので、リフレクタの開口端の外側の表面処理と反射面の反射面処理とが同時に行える。
【００１９】
さらに、本発明（請求項３に係る発明）は、リフレクタの開口端の外側が前方から後方にかけて前記延長部に近づく方向に傾斜している、ことを特徴とする。この結果、本発明のヘッドランプは、前方斜め上方から延長部に入射した外来光が延長部の表面処理面と開口端の外側の表面処理面との間において反射を繰り返し、入射した方向へ出射する外来光の割合が多くなるので、その延長部で高輝度感が得られる。
【００２０】
さらにまた、本発明（請求項４に係る発明）は、リフレクタの開口端の外側に光拡散素子群が設けられている、ことを特徴とする。
この結果、本発明のヘッドランプは、開口端の外側に入射した光が光拡散素子群により拡散されるので、さらに、高輝度感が得られる。
【００２１】
【発明の実施の形態】
以下、本発明のヘッドランプの一実施形態を図１及び図２を参照して説明する。図中、図３乃至図５と同符号は同一のものを示す。
この実施形態における本発明のヘッドランプは、リフレクタ５の開口端５０の外側５３０のうち、インナーパネル６の延長部６２の表面処理範囲で映し出される部分（図２において、２本の縦一点鎖線間の部分）に、リフレクタ５の反射面５１やインナーパネル６の表面処理とほぼ同様の表面処理（アルミ蒸着、銀塗装等の表面処理）が施されている。
【００２２】
このリフレクタ５の開口端５０の外側５３０は、図２に示すように、立壁５２の内面の傾斜方向と逆方向に傾斜している。すなわち、立壁５２の内面は、開口端５０から後方にかけて内側に若干傾斜しているのに対して、開口端５０の外側５３０は、開口端５０から後方にかけて外側に傾斜している。
また、リフレクタ５の開口端５０の外側５３０は、図１（Ａ）に示すように、前方から後方にかけて延長部６２に近づく方向に傾斜している。
さらに、リフレクタ５の開口端５０の外側５３０に光拡散素子群を設けても良い。この光拡散素子群としては、例えば、図１（Ｂ）に示すように、断面連続する三角山谷形状の段部が延長部６２の延長方向に対してほぼ直交する方向に設けられたもの等がある。なお、光拡散素子群は、図示のもの以外のものであっても良い。例えば、断面半円形のシリンドリカル形状のもの、断面四角形の凹凸形状のもの、ローレット形状もの等々。また、延長部６２の延長方向に設けても良いし、連続的に設けなくて、間隔を開けて設けても良い。
【００２３】
この実施形態における本発明のヘッドランプは、上記の如き構成からなるものであるから、インナーパネル６を小さくして、インナーパネル６の内側部分６１をリフレクタ５の開口端５０に対向させ、かつ、インナーパネル６の内側部分６１とリフレクタ５の開口端５０との間Ｂを開け、そのために、その間Ｂを経てリフレクタ５の開口端５０の外側５３０が、表面処理されたインナーパネル６の延長部６２に写し出されて外側のアイポイントＥ．Ｐから見えたとしても、リフレクタ５の開口端５０の外側５３０は、リフレクタ５の反射面５１やインナーパネル６の表面処理とほぼ同様の表面処理が施されているので、見栄えが損なわれる虞がない。このように、比較的小さい有効反射面のランプ性能をそのまま維持しながら、見栄えが損なわれることがない。
【００２４】
特に、この実施形態においては、リフレクタ５の開口端５０の外側５３０が立壁５２の内面の傾斜方向と逆方向に傾斜しているので、図２に示すように、リフレクタ５の立壁５２の内面と開口端５０の外側５０３とは、反射面５１の反射面処理方向Ｈ−Ｈ（例えば、蒸発アルミの付着方向、銀塗料の噴射方向等）に対してそれぞれ勾配していることとなる。この結果、リフレクタ５の開口端５０の外側５３０の表面処理と反射面５１の反射面処理及び立壁５２の内面の表面処理とが同時に行えることとなる。
【００２５】
また、この実施形態においては、リフレクタ５の開口端５０の外側５３０が前方から後方にかけてインナーパネル６の延長部６２との間隔が小さくなる方向、すなわち、延長部６２に近づく方向に傾斜しているので、図１（Ａ）、（Ｂ）中の実線矢印に示すように、前方斜め上方から延長部に入射した外来光が延長部６２の表面処理面と開口端５０の外側５３０の表面処理面との間において反射を繰り返し、入射した方向へ出射する外来光の割合が多くなるので、その延長部で高輝度感が得られる。
【００２６】
さらに、この実施形態においては、リフレクタの開口端の外側に光拡散素子群が設けられているので、この開口端の外側に入射した光が光拡散素子群により拡散され、その結果、さらに、高輝度感が得られる。
【００２７】
【発明の効果】
以上から明らかなように、本発明のヘッドランプは、リフレクタの開口端の外側のうち、インナーパネルの延長部の表面処理範囲で映し出される部分に、リフレクタの反射面やインナーパネルの表面処理とほぼ同様の表面処理が施されているものであるから、インナーパネルを小さくして、インナーパネルの内側部分をリフレクタの開口端に対向させ、かつ、インナーパネルの内側部分とリフレクタの開口端との間を開け、そのために、その間を経てリフレクタの開口端の外側が、表面処理されたインナーパネルの延長部に写し出されて見えたとしても、見栄えが損なわれる虞がない。このように、比較的小さい有効反射面のランプ性能をそのまま維持しながら、見栄えが損なわれることがない。
【００２８】
また、本発明のヘッドランプは、リフレクタの開口端の外側がリフレクタの内面の傾斜方向と逆方向に傾斜しているので、リフレクタの内面と開口端の外側とは、反射面の反射面処理方向に対してそれぞれ勾配していることとなり、その結果、リフレクタの開口端の外側の表面処理と反射面の反射面処理とが同時に行える。
【００２９】
さらに、本発明のヘッドランプは、リフレクタの開口端の外側が前方から後方にかけて延長部に近づく方向に傾斜しているので、前方斜め上方から延長部に入射した外来光が延長部の表面処理面と開口端の外側の表面処理面との間において反射を繰り返し、入射した方向へ出射する外来光の割合が多くなるので、その結果、その延長部で高輝度感が得られる。
【００３０】
さらにまた、本発明のヘッドランプは、リフレクタの開口端の外側に光拡散素子群が設けられているので、その開口端の外側に入射した光が光拡散素子群により拡散され、その結果、さらに、高輝度感が得られる。
【図面の簡単な説明】
【図１】（Ａ）は本発明のヘッドランプの一実施形態を示した縦断面図、（Ｂ）は光拡散素子群を示したリフレクタの開口端とインナーパネルの延長部との一部拡大断面図である。
【図２】要部の拡大断面図である。
【図３】従来のヘッドランプを示した正面図である。
【図４】図３におけるＩＶ−ＩＶ線断面図である。
【図５】リフレクタの開口部の外側とインナーパネルの延長部とを示した拡大断面図である。
【符号の説明】
１…ランプハウジング、２…レンズ、３…灯室、４…光源バルブ、５…リフレクタ、５０…開口端、５１…反射面、５２…立壁、５３０…外側、６…インナーパネル、６０…外側部分、６１…内側部分、６２…延長部、７…ゴムキャップ、Ａ…ランプハウジング及びレンズとリフレクタとの間、Ｂ…リフレクタの開口端とインナーパネルの内側部分との間、Ｅ．Ｐ…アイポイント。
【図１】
0003919402.tif 000002
【図２】
0003919402.tif 000003
【図３】
0003919402.tif 000004
【図４】
0003919402.tif 000005
【図５】
0003919402.tif 000006